(57)【要約】【課題】電池の電源電圧に少し余裕があり緊急性は要しないが早期に電池交換をすることが望ましい場合には、夜間には電池切れ警報を行わず、午前など、住人が活動を開始する時間に電池切れ警報を行うようにした住宅用火災警報器を提供する。【解決手段】電池電圧を所定時間毎に計測する電池電圧計測部１５と、電池電圧計測部１５が計測した値が、予め設定されたしきい値を所定回数連続して下回った後、しきい値以上に回復したときに、電池切れ警報を出力する電池切れ警報制御部１１とを備えている。【選択図】図１
2008134973.tif 000002
【特許請求の範囲】
【請求項１】
電池電圧を所定時間毎に計測し、計測した値に対して予め設定された基準アルゴリズムを適用して電池切れを判別して所定の電池切れ警報音を出力させる機能を有した、電池作動型の住宅用火災警報器において、
電池電圧を所定時間毎に計測する電池電圧計測部と、
上記基準アルゴリズムを実行して、電池切れ判別を行う電池切れ警報制御部とを備え、
上記基準アルゴリズムは、上記電池電圧計測部によって計測された値が、予め設定された第１のしきい値を第１の所定回数下回った後、更に、第２のしきい値以上に上昇したときに、電池切れ警報を出力させるようにしていることを特徴とする住宅用火災警報器。
【請求項２】
請求項１において、
上記基準アルゴリズムは、上記電池電圧計測部によって計測された値が、予め設定された第１のしきい値を第１の所定回数下回った後、更に、第２の所定回数下回ったときには、電池切れ警報を出力させるようにしていることを特徴とする住宅用火災警報器。
【発明の詳細な説明】
【技術分野】
【０００１】
本発明は、電池作動型の住宅用火災警報器の改良に関する。
【背景技術】
【０００２】
近時、住宅用火災警報器を一般住宅に設置することが推奨されている。この種の住宅用火災警報器は、商用電源で作動する住宅用火災警報器と、電池で作動する電池作動型の住宅用火災警報器とがあり、いずれも、煙、熱などの火災要因を監視しており、火災要因を検出すると警報を行う。複数の住宅用火災警報器を組み合わせて構成される連動型の住宅用火災警報器では、１つの住宅用火災警報器が火災要因を検出したときには、火災要因を検出した住宅用火災警報器は前記警報を行い、他の住宅用火災警報器より連動警報を出力させる。
【特許文献１】特開平５−１７４２６４号公報
【発明の開示】
【発明が解決しようとする課題】
【０００３】
ところで、電池作動型の住宅用火災警報器では、所定時間毎に電池電圧を計測するようにしており、計測した値に対して予め設定された基準アルゴリズムを適用して電池切れを判別して所定の電池切れ警報を行い、電池交換を促すようにしている。
【０００４】
ここで、電池の電源電圧は、周囲温度の低下により低下する傾向にあるため、電池の電源電圧がしきい値に近い値まで低下した場合には、夜間の周囲温度が低下することにより、電池電圧がしきい値を急激に下回って電池切れ警報がされることがある。
【０００５】
そのような場合、住宅用警報監視盤は、電池の電源電圧には少し余裕があり十分に作動することができるにもかかわらず、夜間に電池切れ警報がされるため、電池切れ警報が警報音で出力され、住人は、無用に睡眠が妨害されるといった点があった。
本発明は、上記事情を考慮して提案されるものであり、電池の電源電圧に少し余裕があり緊急性は要しないが、早期に電池交換をすることが望ましい場合には、夜間には電池切れ警報を行わず、午前など、住人が活動を開始する時間に電池切れ警報が行えるようにした住宅用火災警報器を提供することを目的とする。
【課題を解決するための手段】
【０００６】
上記目的を達成するために、本発明の請求項１では、電池電圧を所定時間毎に計測する電池電圧計測部と、上記基準アルゴリズムを実行して、電池切れ判別を行う電池切れ警報制御部とを備え、上記基準アルゴリズムは、上記電池電圧計測部によって計測された値が、予め設定された第１のしきい値を第１の所定回数下回った後、更に、第２のしきい値以上に上昇したときに、電池切れ警報を出力させるようにしていることを特徴とする。
【０００７】
請求項２では、上記基準アルゴリズムは、上記電池電圧計測部によって計測された値が、予め設定された第１のしきい値を第１の所定回数下回った後、更に、第２の所定回数下回ったときには、電池切れ警報を出力させるようにしていることを特徴とする。
【発明の効果】
【０００８】
請求項１によれば、所定時間毎に計測した電池電圧の値が、予め設定された第１のしきい値を所定回数下回り、その後、第２のしきい値以上に上昇したときに電池切れ警報を出力するので、電池の電源電圧に少し余裕があり十分作動することができる状態である場合に、夜間の周囲温度の低下により電池の電源電圧が低下したときには電池切れ警報を行わず、その後、周囲温度が上昇して電源電圧が上昇したときに電池切れ警報を行うことができ、電池を取り替える緊急性がないのに夜間の睡眠が妨害されることを防止できる。
【０００９】
請求項２によれば、電池電圧計測部によって計測された値が、予め設定された第１のしきい値を第１の所定回数下回った後、更に、第２の所定回数下回ったときには、電池切れ警報を出力させるようにしているので、電池電圧に余裕がなくなった場合には、夜間であっても確実に電池切れを知らせることができる。
【発明を実施するための最良の形態】
【００１０】
以下に、本発明の実施の形態について説明する。なお、本実施の形態では、第１のしきい値と第２のしきい値とを、同じ値αとしているが、この例には限られず、別の値としてもよい。
【００１１】
図１は、本発明の住宅用火災警報器の要部構成の一例を示すブロック図である。
【００１２】
この住宅用火災警報器１は、ＣＰＵなどで構成され、この住宅用火災警報器１を制御する制御手段１０、煙、熱などの火災要因を検出する火災検出部１２、音、光などによる警報を出力する警報出力部１３、乾電池、充電池などの電池１４の電源電圧を所定時間毎に計測する電池電圧計測部１５、表示部１６、操作部１７を備えている。
【００１３】
制御手段１０は、電池切れ警報制御部１１を備えている。電池切れ警報制御部１１は、電池切れを判別し、電池切れ警報を出力させるための基準アルゴリズムを実行するようにしている。
【００１４】
このような基準アルゴリズムは、電池電圧計測部１５が電池電圧の値を計測するたびに、予め設定されたしきい値α(第１のしきい値)と比較し、しきい値α(第１のしきい値)を第１の所定回数（Ｍ）連続して下回り、その後、電池電圧がしきい値α(第２のしきい値)以上に上昇したときに、警報出力部１３より電池切れ警報を行うように制御する。電池電圧の比較対象となるしきい値αは、電池電圧に少し余裕があり、住宅用火災警報器１が正常に動作することができる電圧に設定する。
電池切れ警報は、例えば、警報音の出力により行うことができ、住人による確認操作があるまで出力を継続させる。
【００１５】
また、基準アルゴリズムは、電池電圧がしきい値α(第１のしきい値)を所定回数（Ｍ）連続して下回った後、しきい値α(第１のしきい値)以上に上昇せず、しきい値α(第１のしきい値)を第２の所定回数（Ｎ）連続して下回ったときにも電池切れ警報を出力させる。
【００１６】
電池電圧がしきい値αを下回ってからしきい値α以上に回復しない場合には、電池電圧に余裕がなく、住宅用火災警報器１の正常な動作に支障があると考えられるので、電池切れ警報を夜間においても出力する。
【００１７】
火災検出部１２は、煙粒子の量、熱量を計測し、予め設定されたしきい値以上となったときには火災を検出したことを制御手段１０に通知する。制御手段１０は、その通知を受けたときには、警報出力部１３より警報を出力させる。
【００１８】
電池電圧計測部１５は、予め定められた所定時間毎に、電池１４の電池電圧の値を計測し、その値を電池切れ警報制御部１１に通知する。
【００１９】
図２、図３は、住宅用火災警報器の基本動作を説明するためのフローチャートである（１００〜１１５）。図４は、電池電圧の変化と時刻との関連を示す図である。
【００２０】
住宅用火災警報器１は、電源投入を行うと、カウンタをクリアして、所定時間毎に電池電圧計測部１５による電池電圧の計測を行い、電池切れ警報制御部１１は基準アルゴリズムの実行を開始する。
【００２１】
電池切れ警報制御部１１は、電池電圧計測部１５が計測した電池電圧の値を、しきい値αと比較して、しきい値αを下回るか判定し、下回っていればカウンタをインクリメントし、それ以上であればカウンタをクリアする処理を繰り返す。
【００２２】
このような処理を行うことで、第１の所定回数（Ｍ）、連続してしきい値αを下回っていることを検出できる。
【００２３】
そして、カウンタ値が第１の所定回数（Ｍ）となったときにはカウンタをクリアして次処理を行う。それ以降も、所定時間毎に電池電圧計測部１５より通知される電池電圧の値がしきい値α以上となっているか判定し、しきい値α以上となっていれば電池切れ警報を行う。
【００２４】
以上の基本操作を、図３とともに具体的に説明する。
【００２５】
電池電圧Ｖは、例えば、時間ｔに従って図示するような変化をする。２０時から７時までの間は、夜間の周囲温度の低下により、電池電圧Ｖが低下していくが、７時すぎより周囲温度が高くなり、電池電圧Ｖが上昇していく。
【００２６】
このような周囲温度の条件下で、電池電圧計測部１５が１時間毎に電池電圧Ｖを計測し、電池切れ警報制御部１１が、電池電圧Ｖがしきい値αを連続して５回下回った後、しきい値α以上に上昇した場合に電池切れ警報を出力するものとして、以下説明する。
電池切れ警報制御部１１は、電池電圧計測部１５が、１時間毎に電池１４の電圧値を計測する場合には、３時、４時、５時、６時、７時の計５回、電池電圧Ｖがしきい値αを連続して下回ることを判定する。その後、電池電圧計測部１５が８時に計測した電池電圧Ｖはしきい値α以上となると、電池切れ警報制御部１１は、電池電圧Ｖが連続して５回しきい値αを下回り、その後、電池電圧Ｖがしきい値α以上となったことを判定できるので、この時点で電池切れ警報を出力させる。
【００２７】
一方、電池電圧の値が第１の所定回数（Ｍ）下回り、電池切れ警報準備フラグがセットされた後、更に、第２の所定回数（Ｎ）連続してしきい値αを下回った際の処理を説明する。
【００２８】
すなわち、所定回数（Ｍ）下回ってカウンタがクリアされてからは、電池電圧計測部１５より通知される電池電圧の値が、しきい値αを下回ればカウント値をインクリメントする一方、しきい値α以上であれば電池切れ警報を出力する。
【００２９】
このような処理を行うことにより、第１の所定回数（Ｍ）、連続してしきい値αを下回った後、連続してしきい値αを第２の所定回数（Ｎ）下回ったことが検出でき、条件が成立すれば電池切れ警報を行う。
【００３０】
なお、図２，３の処理を行って、電池切れ警報を出力しているときに電池交換がされると、リセット処理を行って、電池切れ警報の出力を停止させ、ステップ１００に移行する。また、電池切れ警報準備フラグを立てている時間は無限ではなく所定時間にすることが望ましい。電池切れ警報準備フラグを立ててから長時間電池切れ警報がされないときには電池切れ警報準備フラグを長時間たてている必要がないからである。
【図面の簡単な説明】
【００３１】
【図１】本発明の住宅用火災警報器の要部構成の一例を示すブロック図
【図２】本発明の住宅用火災警報器の基本動作の一例を示すフローチャート
【図３】本発明の住宅用火災警報器の基本動作の一例を示すフローチャート
【図４】電池電圧の変化と時刻との関連を示す図
【符号の説明】
【００３２】
１  住宅用火災警報器
１１  電池切れ警報制御部
１２  火災検出部
１４  電池
１５  電池電圧計測部
【図１】
2008134973.tif 000003
【図２】
2008134973.tif 000004
【図３】
2008134973.tif 000005
【図４】
2008134973.tif 000006